(57)【要約】【課題】持ち運び時に集積部に積層状態で集積されている紙葉類の整列状態が大きく乱れてしまうことを防止することができる紙葉類収納カセットおよびこのような紙葉類収納カセットが着脱自在な紙葉類処理機を提供する。【解決手段】紙葉類収納カセット（例えば、紙幣回収カセット４２）は、紙葉類収納カセットの外部から内部に投入された紙葉類（例えば、紙幣）が積層状態で集積される集積部（例えば、昇降ステージ４６）と、紙葉類収納カセットの外部から内部に投入された紙葉類を集積部に１枚ずつ送るための羽根車４６とを備えており、羽根車４６により集積部に送られる紙葉類が通過する紙葉類通過空間（例えば、紙幣通過空間４８）が形成されるとともに、集積部に集積されている紙葉類が紙葉類通過空間に向かって移動することを抑制する抑制部５０が設けられている。【選択図】図３
2018081373.tif 000002
【特許請求の範囲】
【請求項１】
持ち運び可能な紙葉類収納カセットであって、
前記紙葉類収納カセットに設けられ、当該紙葉類収納カセットの外部から内部に紙葉類を投入するための投入口と、
前記紙葉類収納カセットの内部に設けられ、前記投入口により前記紙葉類収納カセットの外部から内部に投入された紙葉類が積層状態で集積され、紙葉類の集積方向に沿って移動する集積部と、
前記投入口により前記紙葉類収納カセットの外部から内部に投入された紙葉類を前記集積部に１枚ずつ送るための羽根車であって、軸を中心として回転する基体と、前記基体の外周面から当該基体の回転方向とは逆方向の外方に延びる複数の羽根とを有しており、前記羽根間に収容された紙葉類を前記集積部に送る羽根車と、
を備え、
前記紙葉類収納カセットの内部における前記羽根車の近傍には、前記羽根車により前記集積部に送られる紙葉類が通過する紙葉類通過空間が形成されており、
前記集積部に集積されている紙葉類が前記紙葉類通過空間に向かって移動することを抑制する抑制部が設けられている、紙葉類収納カセット。
【請求項２】
前記抑制部は、前記紙葉類収納カセットの内壁における前記羽根車に対向する箇所に設けられている、請求項１記載の紙葉類収納カセット。
【請求項３】
前記抑制部は、前記紙葉類収納カセットの内壁における、前記羽根車により前記集積部に送られる紙葉類の短手側の側縁に対向する箇所に設けられている、請求項１または２記載の紙葉類収納カセット。
【請求項４】
前記抑制部は、前記羽根車の各前記羽根が通過する羽根通過領域の下端よりも上方の位置に配置されている、請求項１乃至３のいずれか一項に記載の紙葉類収納カセット。
【請求項５】
前記抑制部は、前記紙葉類収納カセットの内壁に設けられる溝状部分を有しており、前記溝状部分の少なくとも一部が、前記集積部に集積されている紙葉類が前記紙葉類通過空間に向かって移動しようとする際に当該紙葉類の側縁が引っ掛かるような段差形状となっている、請求項１乃至４のいずれか一項に記載の紙葉類収納カセット。
【請求項６】
前記溝状部分は、前記集積部に集積される紙葉類の集積方向に沿って並ぶよう複数設けられている、請求項５記載の紙葉類収納カセット。
【請求項７】
前記溝状部分は、前記羽根車の前記軸が延びる方向と略平行に延びる直線状のものである、請求項５または６記載の紙葉類収納カセット。
【請求項８】
前記溝状部分は、前記集積部に集積される紙葉類の集積方向に対して傾斜する傾斜面を含んでいる、請求項５乃至７のいずれか一項に記載の紙葉類収納カセット。
【請求項９】
前記抑制部は、前記紙葉類収納カセットの内壁に設けられ、当該内壁から前記紙葉類通過空間に向かって突出する突出部分を有しており、前記突出部分の少なくとも一部が、前記集積部に集積されている紙葉類が前記紙葉類通過空間に向かって移動しようとする際に当該紙葉類の側縁が引っ掛かるような段差形状となっている、請求項１乃至４のいずれか一項に記載の紙葉類収納カセット。
【請求項１０】
前記突出部分は、前記集積部に集積される紙葉類の集積方向に沿って並ぶよう複数設けられている、請求項９記載の紙葉類収納カセット。
【請求項１１】
前記抑制部は、前記紙葉類通過空間に進出する進出位置と前記紙葉類通過空間から退避する退避位置との間で移動可能となっているガイド部材を有しており、前記ガイド部材は、前記進出位置に位置しているときに、前記集積部に集積されている紙葉類が前記紙葉類通過空間に向かって移動することを抑制する、請求項１乃至４のいずれか一項に記載の紙葉類収納カセット。
【請求項１２】
前記抑制部は、前記集積部に集積されている紙葉類が前記紙葉類通過空間に向かって移動しようとする際に当該紙葉類との間で、前記紙葉類収納カセットの内壁を構成する材料と比較して高い摩擦力が生じるような摩擦材料から形成されている、請求項５乃至１１のいずれか一項に記載の紙葉類収納カセット。
【請求項１３】
前記抑制部は、前記集積部に積層状態で集積されている紙葉類を当該集積部に向かって押圧する押圧部材を有している、請求項１乃至４のいずれか一項に記載の紙葉類収納カセット。
【請求項１４】
前記押圧部材は、前記集積部に集積されている紙葉類のうち当該押圧部材により押圧される紙葉類との間で、前記紙葉類収納カセットの内壁を構成する材料と比較して高い摩擦力が生じるような摩擦材料から形成されている、請求項１３記載の紙葉類収納カセット。
【請求項１５】
前記紙葉類収納カセットの持ち運びが行われる際に前記集積部に積層状態で集積されている紙葉類は当該集積部により前記羽根車に向かって押圧されるようになっている、請求項１乃至１４のいずれか一項に記載の紙葉類収納カセット。
【請求項１６】
請求項１乃至１５のいずれか一項に記載の紙葉類収納カセットが着脱自在な紙葉類処理機であって、前記紙葉類処理機から前記紙葉類収納カセットの前記投入口を介して当該紙葉類収納カセットの内部に紙葉類が送られるようになっている、紙葉類処理機。
【発明の詳細な説明】
【技術分野】
【０００１】
本発明は、紙幣等の紙葉類が積層状態で集積される持ち運び可能な紙葉類収納カセットおよびこのような紙葉類収納カセットが着脱自在な紙葉類処理機に関する。
【背景技術】
【０００２】
紙幣等の紙葉類が積層状態で集積される持ち運び可能な紙葉類収納カセットとして従来から様々なタイプのものが知られている。例えば、特許文献１には、紙葉類収納カセットの内部における投入口の近傍に渦型羽根車を設け、投入口により紙葉類収納カセットの外部から内部に投入された紙葉類を羽根車の羽根間に収容した後に当該羽根車から昇降ステージ上に集積させることにより、昇降ステージ上に紙葉類を整列した状態で集積させることができるような技術が開示されている。このような紙葉類収納カセットにおいて、投入口により紙葉類収納カセットの外部から内部に紙葉類がその長手方向に沿って投入される場合には、羽根車により昇降ステージ上に紙葉類を送る際に当該羽根車の羽根間に収容された紙葉類が通過する領域（いわゆる、紙葉類通過領域）を羽根車の近傍に形成する必要がある。より詳細には、このような紙葉類通過領域は、紙葉類収納カセットの内壁における投入口と対向する側の内壁と羽根車との間に形成されるようになる。このような紙葉類通過領域を紙葉類収納カセットの内部における羽根車の近傍に形成しなければ、羽根車により昇降ステージ上に紙葉類を送る際に当該羽根車の羽根間に収容された紙葉類が紙葉類収納カセットの内壁に衝突することによって当該紙葉類が大きく湾曲してしまい、昇降ステージ上に紙葉類を整列した状態で集積させることができないからである。また、投入口により紙葉類収納カセットの外部から内部に紙葉類がその短手方向に沿って投入されるような紙葉類収納カセットでも、紙葉類収納カセットの持ち運び時に昇降ステージ上に集積されている紙葉類の短手側の端縁が昇降ステージから遠ざかる方向に移動してしまい、昇降ステージ上に積層状態で集積されている紙葉類の整列状態が乱れてしまうおそれがあるという問題があった。
【先行技術文献】
【特許文献】
【０００３】
【特許文献１】特許第５３６３５３１号
【発明の概要】
【発明が解決しようとする課題】
【０００４】
このように、紙葉類収納カセットの内部に紙葉類通過領域が形成される場合には、紙葉類収納カセットの持ち運び時に昇降ステージ上に集積されている紙葉類が紙葉類通過領域の上部に向かって（すなわち、昇降ステージから遠ざかる方向に）移動してしまい、昇降ステージ上に積層状態で集積されている紙葉類の整列状態が大きく乱れてしまうおそれがあるという問題があった。
【０００５】
本発明は、このような点を考慮してなされたものであり、持ち運び時に集積部に積層状態で集積されている紙葉類の整列状態が大きく乱れてしまうことを防止することができる紙葉類収納カセットおよびこのような紙葉類収納カセットが着脱自在な紙葉類処理機を提供することを目的とする。
【課題を解決するための手段】
【０００６】
本発明の紙葉類収納カセットは、持ち運び可能な紙葉類収納カセットであって、前記紙葉類収納カセットに設けられ、当該紙葉類収納カセットの外部から内部に紙葉類を投入するための投入口と、前記紙葉類収納カセットの内部に設けられ、前記投入口により前記紙葉類収納カセットの外部から内部に投入された紙葉類が積層状態で集積され、紙葉類の集積方向に沿って移動する集積部と、前記投入口により前記紙葉類収納カセットの外部から内部に投入された紙葉類を前記集積部に１枚ずつ送るための羽根車であって、軸を中心として回転する基体と、前記基体の外周面から当該基体の回転方向とは逆方向の外方に延びる複数の羽根とを有しており、前記羽根間に収容された紙葉類を前記集積部に送る羽根車と、を備え、前記紙葉類収納カセットの内部における前記羽根車の近傍には、前記羽根車により前記集積部に送られる紙葉類が通過する紙葉類通過空間が形成されており、前記集積部に集積されている紙葉類が前記紙葉類通過空間に向かって移動することを抑制する抑制部が設けられていることを特徴とする。
【０００７】
このような紙葉類収納カセットによれば、集積部に集積されている紙葉類が羽根車の近傍における紙葉類通過空間の上部に向かって移動することを抑制部によって抑制することにより、持ち運び時に集積部に積層状態で集積されている紙葉類の整列状態が大きく乱れてしまうことを防止することができる。
【０００８】
本発明の紙葉類収納カセットにおいては、前記抑制部は、前記紙葉類収納カセットの内壁における前記羽根車に対向する箇所に設けられていてもよい。
【０００９】
本発明の紙葉類収納カセットにおいては、前記抑制部は、前記紙葉類収納カセットの内壁における、前記羽根車により前記集積部に送られる紙葉類の短手側の側縁に対向する箇所に設けられていてもよい。
【００１０】
本発明の紙葉類収納カセットにおいては、前記抑制部は、前記羽根車の各前記羽根が通過する羽根通過領域の下端よりも上方の位置に配置されていてもよい。
【００１１】
本発明の紙葉類収納カセットにおいては、前記抑制部は、前記紙葉類収納カセットの内壁に設けられる溝状部分を有しており、前記溝状部分の少なくとも一部が、前記集積部に集積されている紙葉類が前記紙葉類通過空間に向かって移動しようとする際に当該紙葉類の側縁が引っ掛かるような段差形状となっていてもよい。
【００１２】
この場合、前記溝状部分は、前記集積部に集積される紙葉類の集積方向に沿って並ぶよう複数設けられていてもよい。
【００１３】
また、前記溝状部分は、前記羽根車の前記軸が延びる方向と略平行に延びる直線状のものであってもよい。
【００１４】
また、前記溝状部分は、前記集積部に集積される紙葉類の集積方向に対して傾斜する傾斜面を含んでいてもよい。
【００１５】
本発明の紙葉類収納カセットにおいては、前記抑制部は、前記紙葉類収納カセットの内壁に設けられ、当該内壁から前記紙葉類通過空間に向かって突出する突出部分を有しており、前記突出部分の少なくとも一部が、前記集積部に集積されている紙葉類が前記紙葉類通過空間に向かって移動しようとする際に当該紙葉類の側縁が引っ掛かるような段差形状となっていてもよい。
【００１６】
この場合、前記突出部分は、前記集積部に集積される紙葉類の集積方向に沿って並ぶよう複数設けられていてもよい。
【００１７】
本発明の紙葉類収納カセットにおいては、前記抑制部は、前記紙葉類通過空間に進出する進出位置と前記紙葉類通過空間から退避する退避位置との間で移動可能となっているガイド部材を有しており、前記ガイド部材は、前記進出位置に位置しているときに、前記集積部に集積されている紙葉類が前記紙葉類通過空間に向かって移動することを抑制するようになっていてもよい。
【００１８】
本発明の紙葉類収納カセットにおいては、前記抑制部は、前記集積部に集積されている紙葉類が前記紙葉類通過空間に向かって移動しようとする際に当該紙葉類との間で、前記紙葉類収納カセットの内壁を構成する材料と比較して高い摩擦力が生じるような摩擦材料から形成されていてもよい。
【００１９】
本発明の紙葉類収納カセットにおいては、前記抑制部は、前記集積部に積層状態で集積されている紙葉類を当該集積部に向かって押圧する押圧部材を有していてもよい。
【００２０】
この場合、前記押圧部材は、前記集積部に集積されている紙葉類のうち当該押圧部材により押圧される紙葉類との間で、前記紙葉類収納カセットの内壁を構成する材料と比較して高い摩擦力が生じるような摩擦材料から形成されていてもよい。
【００２１】
本発明の紙葉類収納カセットにおいては、前記紙葉類収納カセットの持ち運びが行われる際に前記集積部に積層状態で集積されている紙葉類は当該集積部により前記羽根車に向かって押圧されるようになっていてもよい。
【００２２】
本発明の紙葉類処理機は、上述した紙葉類収納カセットが着脱自在な紙葉類処理機であって、前記紙葉類処理機から前記紙葉類収納カセットの前記投入口を介して当該紙葉類収納カセットの内部に紙葉類が送られるようになっていることを特徴とする。
【発明の効果】
【００２３】
本発明の紙葉類収納カセットおよびこのような紙葉類収納カセットが着脱自在な紙葉類処理機によれば、紙葉類収納カセットの持ち運び時に集積部に積層状態で集積されている紙葉類の整列状態が大きく乱れてしまうことを防止することができる。
【図面の簡単な説明】
【００２４】
【図１】本発明の実施の形態による貨幣処理システムの外観を示す斜視図である。
【図２】図１に示す貨幣処理システムにおける紙幣処理機の内部構成を示す側面図である。
【図３】図１に示す貨幣処理システムの回収部に設けられた紙幣回収カセットの内部構成を示す側面図である。
【図４】図３に示す紙幣回収カセットの内部に多数の紙幣が収納されたときの状態を示す側面図である。
【図５】図３に示す紙幣回収カセットに収納されている紙幣が抑制部の溝状部分に引っ掛かっているときの状態を示す側断面図である。
【図６】従来技術の紙幣回収カセットに収納されている紙幣が紙幣通過空間に向かって移動したときの状態を示す側断面図である。
【図７】本発明の実施の形態による貨幣処理システムの回収部に設けられた紙幣回収カセットにおける抑制部の溝状部分の他の構成例を示す側断面図である。
【図８】本発明の実施の形態による貨幣処理システムの回収部に設けられた紙幣回収カセットにおける抑制部の溝状部分の更に他の構成例を示す側断面図である。
【図９】本発明の実施の形態による貨幣処理システムの回収部に設けられた紙幣回収カセットにおける他の抑制部の例を示す側断面図である。
【図１０】本発明の実施の形態による貨幣処理システムの回収部に設けられた紙幣回収カセットにおける更に他の抑制部の例を示す側断面図である。
【図１１】本発明の実施の形態による貨幣処理システムの回収部に設けられた紙幣回収カセットにおける更に他の抑制部の例を示す側断面図である。
【図１２】変形例に係る紙幣回収カセットの内部構成を示す側断面図である。
【図１３】図３に示す紙幣回収カセットにおいて昇降ステージ上に札長が大きい紙幣および札長が小さい紙幣を交互に集積したときの状態を示す側断面図である。
【発明を実施するための形態】
【００２５】
以下、図面を参照して本発明の実施の形態について説明する。図１乃至図１１は、本実施の形態に係る貨幣処理システムを示す図である。このうち、図１は、本実施の形態による貨幣処理システムの外観を示す斜視図であり、図２は、図１に示す貨幣処理システムにおける紙幣処理機の内部構成を示す側面図である。また、図３は、図１に示す貨幣処理システムの回収部に設けられた紙幣回収カセットの内部構成を示す側面図であり、図４は、図３に示す紙幣回収カセットの内部に多数の紙幣が収納されたときの状態を示す側面図であり、図５は、図３に示す紙幣回収カセットに収納されている紙幣が抑制部の溝状部分に引っ掛かっているときの状態を示す側断面図である。なお、図６は、従来技術の紙幣回収カセットに収納されている紙幣が紙幣通過空間に向かって移動したときの状態を示す側断面図である。また、図７および図８は、それぞれ、本実施の形態による貨幣処理システムの回収部に設けられた紙幣回収カセットにおける抑制部の溝状部分の他の様々な構成例を示す側断面図であり、図９乃至図１１は、それぞれ、本実施の形態による貨幣処理システムの回収部に設けられた紙幣回収カセットにおける他の様々な抑制部の例を示す側断面図である。なお、図４乃至図６および図９乃至図１１において、紙幣回収カセットに収納されている紙幣を参照符合Ｐで示す。
【００２６】
本実施の形態による貨幣処理システムは、スーパーマーケットやコンビニエンスストア等の店舗に配置され、売上金としての紙幣や硬貨の入金処理を行うとともに釣銭としての紙幣や硬貨の出金処理を行うものである。図１に示すように、本実施の形態による貨幣処理システムは、左右に並ぶよう配置された紙幣処理機１および硬貨処理機１０１を備えている。また、紙幣処理機１にはＰＯＳレジスタ（図示せず）がＬＡＮ等により通信可能に接続されている。また、店舗内に設けられた精算所には、係員側と顧客側とに区切る精算台（テーブルやカウンター）が設置されており、係員は、精算台の一方の側で待機するようになっている。ＰＯＳレジスタは、係員が操作できるように、係員が待機する側に配置されることが多い。一方、顧客は、精算台の他方の側に立ち、購入したい商品を精算台の上に載せる。そして、係員は、精算台の上に載せられた商品の番号や価格をＰＯＳレジスタに登録する。また、係員は、顧客から貨幣を受け取り、貨幣処理システムに投入する。このような貨幣処理システムの詳細について以下に説明する。
【００２７】
まず、紙幣処理機１の構成の詳細について図２を用いて説明する。なお、図２における筐体１ａ（後述）の右側の側面が紙幣処理機１の前面側（すなわち、図１に示すように紙幣処理機１を手前側から見たときの正面側）となっており、図２における左方向が筐体１ａの奥行き方向となっている。
【００２８】
図２に示すように、紙幣処理機１は略直方体形状の筐体１ａを有している。また、紙幣処理機１は上部ユニット２および下部ユニット３を有しており、上部ユニット２には、筐体１ａの外部から内部に紙幣を投入するための紙幣投入部１０と、紙幣投入部１０により筐体１ａの内部に投入された紙幣を搬送する搬送部１２と、搬送部１２に設けられ、当該搬送部１２により搬送される紙幣を識別する識別部１４と、筐体１ａの内部から外部に紙幣を投出するための紙幣投出部１６とがそれぞれ設けられている。
【００２９】
紙幣投入部１０には、フィードローラやキッカローラ等の複数のローラが設けられており、操作者によって紙幣投入部１０に積層状態で載置された紙幣のうち最下層の紙幣がキッカローラによりフィードローラに向かって１枚ずつ蹴り出され、この蹴り出された紙幣がフィードローラにより筐体１ａの内部に１枚ずつ繰り出されるようになっている。紙幣投入部１０により筐体１ａの内部に繰り出された紙幣は搬送部１２により１枚ずつ搬送されるようになっている。なお、本実施の形態では、紙幣投入部１０から紙幣が当該紙幣の長手方向に沿って搬送部１２に繰り出されるようになっており、搬送部１２において紙幣は当該紙幣の長手方向に沿って搬送されるようになっている。また、識別部１４は、搬送部１２により搬送される紙幣の金種、真偽、正損、新旧、表裏、搬送状態等の識別を行うようになっている。識別部１４により識別された紙幣は搬送部１２によって後述する各収納繰出部２０に例えば金種毎に送られるようになっている。
【００３０】
搬送部１２における分岐箇所には分岐爪等の分岐部材（図示せず）がそれぞれ設けられており、これらの分岐部材により分岐箇所における紙幣の搬送先が決められるようになっている。また、図２に示すように、搬送部１２における様々な箇所には当該搬送部１２により搬送される紙幣を検知する紙幣検知センサ１２ａが設けられている。各紙幣検知センサ１２ａは発光素子および受光素子を有する光センサ等から構成されており、発光素子から発せられた光が搬送部１２により搬送される紙幣によって遮られて受光素子により受けられなくなることにより当該紙幣が紙幣検知センサ１２ａにより検知されるようになっている。各紙幣検知センサ１２ａによる紙幣の検知情報は後述する制御部６０に送られるようになっている。また、各紙幣検知センサ１２ａによる紙幣の検知結果に基づいて、搬送部１２により搬送される複数の紙幣間の間隔が所定の大きさとなっているか否かが制御部６０により判断されるようになっており、搬送部１２により搬送される複数の紙幣間の間隔が所定の大きさから大きく異なっていると制御部６０により判断された場合には、搬送部１２により搬送される紙幣に斜行、重送、連鎖等の搬送異常が生じていることが検知されるようになる。
【００３１】
また、上部ユニット２において、搬送部１２には２つの紙幣収納部１８、１９（キャプチャービン）が接続されている。各紙幣収納部１８、１９には、搬送部１２から送られた紙幣がそれぞれ収納されるようになっているが、各紙幣収納部１８、１９に収納されている紙幣をこれらの紙幣収納部１８、１９から搬送部１２に繰り出すことができないようになっている。また、紙幣の入金処理および出金処理の両方の場合において搬送部１２から各紙幣収納部１８、１９に紙幣を送ることができるようこれらの紙幣収納部１８、１９の位置が決められている。また、本実施の形態では、２つの紙幣収納部１８、１９のうち一方の紙幣収納部（例えば、紙幣投出部１６に近い側の紙幣収納部１９）には、偽券および真偽不確定券のうち少なくとも一方が収納されるようになっている。また、他方の紙幣収納部（例えば、紙幣投出部１６から遠い側の紙幣収納部１８）には、紙幣の出金処理が行われる際に後述する各収納繰出部２０から搬送部１２に繰り出されたが紙幣投出部１６により筐体１ａの外部に投出することができない紙幣（具体的には、例えば搬送異常の紙幣）が収納されるようになっている。
【００３２】
また、図２に示すように、搬送部１２は上部ユニット２および下部ユニット３をまたがるよう設けられており、下部ユニット３において搬送部１２には複数（図２に示す例では４つ）の収納繰出部２０が接続されている。各収納繰出部２０は紙幣処理機１の高さ方向に沿って並列に並ぶよう配置されている。また、各収納繰出部２０は、搬送部１２から送られた紙幣を収納するとともに、収納されている紙幣を１枚ずつ搬送部１２に繰り出すことができるようになっている。より詳細には、４つの収納繰出部２０のうち最も上側の収納繰出部２０および最も下側の収納繰出部２０は、それぞれ、１つのドラム２２ａが設けられた紙幣収納機構２２を有しており、搬送部１２から送られた紙幣を１枚ずつ一対のテープ間に挟み込んだ状態で当該テープを紙幣とともにドラム２２ａに巻き取るようになっている。また、ドラム２２ａがテープの巻き取り方向とは逆方向に回転すると、当該ドラム２２ａからテープが巻き出されることにより一対のテープ間に挟まれている紙幣が搬送部１２に１枚ずつ繰り出されるようになる。また、４つの収納繰出部２０のうち上から２番目の収納繰出部２０および上から３番目の収納繰出部２０は、それぞれ、紙幣の最大収納容量が互いに異なる２つの紙幣収納機構２４、２６を有しており、各紙幣収納機構２４、２６にはそれぞれドラム２４ａ、２６ａが設けられている。具体的には、各紙幣収納機構２４、２６において、搬送部１２から送られた紙幣を１枚ずつ一対のテープ間に挟み込んだ状態で当該テープを紙幣とともにドラム２４ａ、２６ａに巻き取るようになっている。また、ドラム２４ａ、２６ａがテープの巻き取り方向とは逆方向に回転すると、当該ドラム２４ａ、２６ａからテープが巻き出されることにより一対のテープ間に挟まれている紙幣が搬送部１２に１枚ずつ繰り出されるようになる。ここで、ドラム２６ａに巻き取られるテープの長さはドラム２４ａに巻き取られるテープの長さよりも大きくなっており、このことによりドラム２６ａにおける紙幣の最大収納枚数はドラム２４ａにおける紙幣の最大収納枚数よりも多くなっている。具体的には、紙幣収納機構２４における紙幣の最大収納枚数は例えば１００枚であるのに対し、紙幣収納機構２６における紙幣の最大収納枚数は２００枚となっている。
【００３３】
また、下部ユニット３において搬送部１２には回収部４０が設けられており、この回収部４０は、各収納繰出部２０に収納された紙幣を回収する際に用いられるようになっている。より具体的には、回収部４０には、紙幣を積層状態で収納する紙幣回収カセット４２が着脱自在に装着可能となっており、各収納繰出部２０から搬送部１２を経て回収部４０に送られた紙幣が紙幣回収カセット４２の内部に収納されるようになっている。また、各収納繰出部２０に割り当てられていない金種の紙幣や、対応する金種の収納繰出部２０がフル状態のために収納できないオーバーフロー紙幣も、回収部４０に装着された紙幣回収カセット４２の内部に収納されるようになっている。そして、回収部４０から紙幣回収カセット４２を取り出すことにより、紙幣処理機１から紙幣回収カセット４２ごと紙幣の回収を行うようになっている。このような紙幣回収カセット４２の構成の詳細については後述する。
【００３４】
また、本実施の形態による紙幣処理機１では、下部ユニット３は、所定の権限を有する操作者しか内部にアクセスすることができない金庫筐体として構成されている。より詳細には、下部ユニット３の内部にある各収納繰出部２０や回収部４０に収納されている紙幣の管理権限は警送会社側にあり、警送会社の警備員のみが下部ユニット３の扉（図示せず）を開いて当該下部ユニット３の内部にアクセスすることができるようになっている。
具体的には、下部ユニット３の扉を閉止状態でロックするロック機構（図示せず）が設けられており、このロック機構による扉のロックを解除するための鍵や暗証番号は、下部ユニット３の内部にアクセスすることを許可された操作者（例えば、警送会社の警備員）だけに与えられる。このことにより、回収部４０に装着されている紙幣回収カセット４２は、警送会社の警備員のみが下部ユニット３の内部から回収することができるようになる。すなわち、店舗の店員等は下部ユニット３の内部にアクセスして各収納繰出部２０や回収部４０に収納されている紙幣を取り出すことができないようになっている。このことにより、各収納繰出部２０や回収部４０に収納されている紙幣の防盗性を高めることができるようになる。
【００３５】
図１および図２に示すように、紙幣投出部１６には、当該紙幣投出部１６における紙幣の投出口の開閉を行うシャッタ機構１７が設けられている。図１および図２に示すようにシャッタ機構１７によって紙幣投出部１６における紙幣の投出口が閉じられている場合には、紙幣の出金処理が行われる際に搬送部１２から紙幣投出部１６に送られた紙幣を操作者は当該紙幣投出部１６から筐体１ａの外部に取り出すことができないようになっている。一方、シャッタ機構１７によって紙幣投出部１６における紙幣の投出口が開かれた場合には、搬送部１２から紙幣投出部１６に送られた紙幣を操作者は当該紙幣投出部１６から筐体１ａの外部に取り出すことができるようになる。なお、紙幣処理機１が待機状態にあるときには、シャッタ機構１７は紙幣投出部１６における紙幣の投出口を閉じた状態となっている。
【００３６】
次に、硬貨処理機１０１の構成の詳細について簡単に説明する。硬貨処理機１０１は、略直方体形状の筐体１０１ａと、筐体１０１ａの外部から内部に硬貨を投入するための硬貨投入部１１０と、筐体１０１ａの内部から外部に硬貨を投出するための硬貨投出部１７２とを備えている。また、筐体１０１ａの内部には、硬貨投入部１１０により筐体１０１ａの内部に投入された硬貨の識別を行う識別部（図示せず）、および識別部により識別された硬貨が金種毎に収納される複数の収納繰出部（図示せず）がそれぞれ設けられており、各収納繰出部から繰り出された硬貨が硬貨投出部１７２により筐体１０１ａの内部から外部に投出されるようになっている。また、筐体１０１ａの内部には、オーバーフロー硬貨収納部として用いられる回収ボックス（図示せず）が設けられている。回収ボックスは、筐体１０１ａの下方に設けられた回収ボックス収容部（図示せず）に対して手前側に水平方向に引き出すことができるようになっている。このような回収ボックスには、各収納繰出部に収納することができなかったオーバーフロー硬貨や、各収納繰出部から繰り出された回収されるべき硬貨が収納されるようになっている。そして、回収ボックスに硬貨が収納された後、警送会社の警備員等が回収ボックス収容部から回収ボックスを手前側に引き出すことにより、当該警備員等は硬貨を回収ボックスごと回収することができるようになっている。
【００３７】
次に、本実施の形態による紙幣処理機１の制御系の構成について簡単に説明する。図２に示すように、紙幣処理機１の筐体１ａの内部には制御部６０が設けられており、当該制御部６０により紙幣処理機１の各構成部材が制御されるようになっている。より詳細には、制御部６０には、紙幣投入部１０、搬送部１２、各紙幣検知センサ１２ａ、識別部１４、シャッタ機構１７、各収納繰出部２０等がそれぞれ接続されている。そして、識別部１４による紙幣の識別結果に係る信号や各紙幣検知センサ１２ａによる紙幣の検知結果に係る信号が制御部６０に送られるようになっており、また、制御部６０は紙幣投入部１０、搬送部１２、シャッタ機構１７、各収納繰出部２０等の各構成部材に指令信号を送ることによりこれらの構成部材の制御を行うようになっている。また、紙幣処理機１の筐体１ａの前面や上面には、タッチパネル等の操作表示部（図示せず）が設けられており、この操作表示部も制御部６０に接続されている。このような操作表示部には、紙幣処理機１や硬貨処理機１０１における紙幣や硬貨の処理状況や、紙幣処理機１の各収納繰出部２０や硬貨処理機１０１の各収納繰出部に収納されている紙幣や硬貨の金種毎の在高等の情報等が表示されるようになっている。また、操作者は操作表示部により制御部６０に様々な指令を入力することができるようになっている。
【００３８】
次に、回収部４０に着脱自在に装着される紙幣回収カセット４２の構成の詳細について図３乃至図５を用いて説明する。図３等に示すように、本実施の形態による紙幣回収カセット４２は略直方体形状のケーシング４２ａを有しており、ケーシング４２ａの側面上部には、当該ケーシング４２ａの外部から内部に紙幣を投入するための投入口４３が形成されている。紙幣回収カセット４２が回収部４０に装着されているときには、搬送部１２から回収部４０に送られた紙幣が投入口４３を介して紙幣回収カセット４２のケーシング４２ａの内部に投入されるようになる。なお、本実施の形態では、搬送部１２において紙幣はその長手方向に沿って搬送されるようになっており、紙幣回収カセット４２の投入口４３を介してケーシング４２ａの内部に紙幣がその長手方向に沿って送られるようになっている。また、ケーシング４２ａの内部には、投入口４３によりケーシング４２ａの外部から内部に投入された紙幣が積層状態で集積される昇降ステージ４６（集積部）が設けられており、この昇降ステージ４６は紙幣の集積方向に沿って（すなわち、図３における上下方向に）移動するようになっている。より詳細には、昇降ステージ４６に紙幣が集積される度に当該昇降ステージ４６が少しずつ下降するようになっており、このことにより、紙幣が集積される空間が後述する羽根車４４と昇降ステージ４６との間に形成されるようになっている。
【００３９】
また、図３に示すように、ケーシング４２ａの内部における上部領域には、投入口４３によりケーシング４２ａの外部から内部に投入された紙幣を昇降ステージ４６に１枚ずつ送るための羽根車４４が設けられている。より詳細には、羽根車４４は、図３の紙面に対して直交する軸４４ａを中心として図３における時計回りの方向に回転するようになっている。また、図４に示すように、羽根車４４は、軸４４ａを中心として回転する基体４４ｂと、基体４４ｂの外周面から当該基体４４ｂの回転方向とは逆方向（すなわち、図３における反時計回り）の外方に延びる複数の羽根４４ｃとを有しており、これらの羽根４４ｃは、基体４４ｂの外周面において等間隔に設けられている。このような羽根車４４は、紙幣処理機１の動作中、当該紙幣処理機１の本体側から紙幣回収カセット４２に伝達された駆動力によって軸４４ａを中心として図３における時計回りの方向に回転させられるようになっており、この羽根車４４には、投入口４３から紙幣が１枚ずつ送られるようになっている。そして、羽根車４４は、投入口４３から送られた紙幣を２枚の羽根４４ｃの間に受け止めてこの羽根４４ｃ間に受け止められた紙幣を昇降ステージ４６に送るようになっている。この際に、羽根車４４の羽根４４ｃ間に受け止められた紙幣の先端部分は、羽根車４４の側方に設けられた紙幣通過空間４８（後述）を通るようになる。より詳細には、上述したように、紙幣回収カセット４２の投入口４３を介してケーシング４２ａの内部に紙幣がその長手方向に沿って送られるようになっているため、羽根車４４の羽根４４ｃ間に受け止められた紙幣の一方の短手側の側縁が羽根４４ｃ間に奥深く入るようになり、当該紙幣の他方の短手側の側縁近傍の箇所が紙幣通過空間４８を通るようになる。このような羽根車４４により、昇降ステージ４６上に紙幣を整列された状態で集積させることができるようになる。
【００４０】
図３に示すように、ケーシング４２ａの内部空間の側方に位置する内壁のうち投入口４３が設けられている内壁に対向する内壁４９と羽根車４４との間には、当該羽根車４４により昇降ステージ４６に送られる紙幣が通過する紙幣通過空間４８が形成されている。このような紙幣通過空間４８を紙幣回収カセット４２の内部における羽根車４４の近傍に形成しなければ、羽根車４４により昇降ステージ４６に紙幣を送る際に当該羽根車４４の羽根４４ｃ間に収容された紙幣が内壁４９に衝突することによって当該紙幣が大きく湾曲してしまい、昇降ステージ４６上に紙幣を整列した状態で集積させることができないからである。また、本実施の形態では、このような紙幣通過空間４８の近傍に、紙幣回収カセット４２が紙幣処理機１から取り出されて当該紙幣回収カセット４２の持ち運びが行われる際に昇降ステージ４６に集積されている紙幣が紙幣通過空間４８の上部に向かって移動することを抑制する抑制部５０が設けられている。
【００４１】
抑制部５０は、ケーシング４２ａの内壁のうち投入口４３が設けられている内壁に対向する内壁４９における羽根車４４に対向する箇所に設けられている。より詳細には、抑制部５０は、昇降ステージ４６に集積される紙幣の集積方向（具体的には、図３における上下方向）に沿って並ぶよう設けられた複数（具体的には、例えば２つ）の溝状部分５０ａを有している。また、各溝状部分５０ａの少なくとも一部が、昇降ステージ４６に集積されている紙幣が紙幣通過空間４８に向かって移動しようとする際に当該紙幣の側縁が引っ掛かるような段差形状となっている。より詳細には、各溝状部分５０ａは、昇降ステージ４６に集積される紙幣の集積方向に沿って延びる直線部分５０ｂと、直線部分５０ｂの上端から横方向に延びる引っ掛かり部分５０ｃと、直線部分５０ｂの下端から斜め下方に延びる傾斜面５０ｄとから構成されている。また、各溝状部分５０ａは、羽根車４４の軸４４ａが延びる方向（すなわち、図３の紙面に直交する方向）と略平行に延びる直線状のものとなっている。具体的には、各溝状部分５０ａは、羽根車４４の軸４４ａが延びる方向におけるケーシング４２ａの内部領域の全長にわたって延びるようになっている。このような各溝状部分５０ａにおいて、傾斜面５０ｄは昇降ステージ４６に集積される紙幣の集積方向に対して傾斜していることにより、投入口４３から送られた紙幣を２枚の羽根４４ｃの間に受け止めてこの羽根４４ｃ間に受け止められた紙幣を昇降ステージ４６に送る際に、２枚の羽根４４ｃの間に受け止められている紙幣の短手側の側縁がケーシング４２ａの内壁４９に当たってもこの紙幣の側縁は傾斜面５０ｄに沿って昇降ステージ４６に送られるようになるため、当該紙幣が各溝状部分５０ａで引っ掛かってしまうことを防止することができる。
【００４２】
このような複数（具体的には、例えば２つ）の溝状部分５０ａを有する抑制部５０は、ケーシング４２ａの内壁４９における、羽根車４４により昇降ステージ４６に送られる紙幣の短手側の側縁に対向する箇所に設けられている。また、抑制部５０は、羽根車４４の各羽根４４ｃが通過する羽根通過領域（図３において参照符合Ｒで表示）の下端よりも上方の位置に配置されている。
【００４３】
このような抑制部５０がケーシング４２ａの内壁４９に設けられていることにより、紙幣回収カセット４２が紙幣処理機１から取り出されて当該紙幣回収カセット４２の持ち運びが行われる際に昇降ステージ４６に集積されている紙幣が紙幣通過空間４８の上部に向かって移動することを抑制することができる。このことについて図４および図５を用いて説明する。
【００４４】
紙幣回収カセット４２が紙幣処理機１から取り出されて当該紙幣回収カセット４２の持ち運びが行われる際に、昇降ステージ４６が上方に移動することにより、昇降ステージ４６に積層状態で集積されている紙幣が羽根車４４に向かって押圧されるようになっている（図４参照）。このことにより、紙幣回収カセット４２の持ち運びが行われる際に羽根車４４と昇降ステージ４６との間で積層状態の複数の紙幣が挟圧されるため、昇降ステージ４６に集積されている紙幣がずれてしまい集積状態が崩れてしまうことを抑制することができる。しかしながら、このようにして羽根車４４と昇降ステージ４６との間で積層状態の複数の紙幣を挟圧しても、昇降ステージ４６に集積されている紙幣（とりわけ、羽根車４４側の１枚または複数枚の紙幣）がずれてしまい集積状態が崩れてしまう場合がある。これに対して、本実施の形態ではケーシング４２ａの内壁４９に抑制部５０が設けられていることにより、昇降ステージ４６に集積されている紙幣がずれてしまい羽根車４４側の１枚または複数枚の紙幣が紙幣通過空間４８に向かって移動しても、図５に示すようにこのような紙幣の側縁が抑制部５０の各溝状部分５０ａ（より詳細には、各溝状部分５０ａにおける引っ掛かり部分５０ｃ）で引っ掛かることにより、紙幣通過空間４８の上部に紙幣が移動してしまうことを抑制することができる。
【００４５】
比較対象として、このような抑制部５０が内壁４９に設けられていないような従来技術の紙幣回収カセット４２ｐについて図６を用いて説明する。図６に示すような紙幣回収カセット４２ｐでは、紙幣回収カセット４２が紙幣処理機１から取り出されて当該紙幣回収カセット４２の持ち運びが行われる際に、昇降ステージ４６に集積されている紙幣がずれてしまい羽根車４４側の１枚または複数枚の紙幣が紙幣通過空間４８に向かって移動すると、この紙幣は紙幣通過空間４８の上部まで移動してしまうことにより、ケーシング４２ａの内部の紙幣の整列状態が大きく乱れてしまうことになる。これに対し、本実施の形態による紙幣回収カセット４２では、抑制部５０の各溝状部分５０ａに紙幣の側縁が引っ掛かることにより、紙幣通過空間４８の上部に紙幣が移動してしまうことを抑制することができ、よってケーシング４２ａの内部の紙幣の整列状態が大きく乱れてしまうことを防止することができる。
【００４６】
なお、昇降ステージ４６に集積されている紙幣が紙幣通過空間４８に向かって移動することを抑制する抑制部は図３乃至図５に示すような構成のものに限定されることはない。昇降ステージ４６に集積されている紙幣が紙幣通過空間４８に向かって移動することを抑制する抑制部として、図７や図８に示す構成の溝状部分が用いられてもよい。図７に示す抑制部５２では、各溝状部分５２ａは、昇降ステージ４６に集積される紙幣の集積方向に沿って延びる直線部分の下端から斜め下方に延びる傾斜面を有さないものとなっており、当該溝状部分５２ａは上下方向に延びる直線部分５２ｂの上端および下端からそれぞれ横方向に延びる別の直線部分５２ｃ、５２ｄを有するものとなっている。また、各溝状部分５２ａは、羽根車４４の軸４４ａが延びる方向と略平行に延びる直線状のものとなっている。具体的には、各溝状部分５２ａは、羽根車４４の軸４４ａが延びる方向におけるケーシング４２ａの内部領域の全長にわたって延びるようになっている。このような溝状部分５２ａを有する抑制部５２がケーシング４２ａの内壁４９に設けられている場合でも、紙幣回収カセット４２が紙幣処理機１から取り出されて当該紙幣回収カセット４２の持ち運びが行われる際に、昇降ステージ４６に集積されている紙幣がずれてしまい羽根車４４側の１枚または複数枚の紙幣が紙幣通過空間４８に向かって移動しても、抑制部５２の各溝状部分５２ａに紙幣の側縁が引っ掛かることにより、紙幣通過空間４８の上部に紙幣が移動してしまうことを抑制することができる。
【００４７】
また、図８に示す抑制部５４では、各溝状部分５４ａは、昇降ステージ４６に集積される紙幣の集積方向に沿って延びる直線部分を有さないものとなっており、当該溝状部分５４ａは横方向に延びる引っ掛かり部分５４ｂとこの引っ掛かり部分５４ｂの奥側の端部から斜め下方に延びる傾斜面５４ｃとを有するものとなっている。また、各溝状部分５４ａは、羽根車４４の軸４４ａが延びる方向と略平行に延びる直線状のものとなっている。具体的には、各溝状部分５４ａは、羽根車４４の軸４４ａが延びる方向におけるケーシング４２ａの内部領域の全長にわたって延びるようになっている。このような溝状部分５４ａを有する抑制部５４がケーシング４２ａの内壁４９に設けられている場合でも、紙幣回収カセット４２が紙幣処理機１から取り出されて当該紙幣回収カセット４２の持ち運びが行われる際に、昇降ステージ４６に集積されている紙幣がずれてしまい羽根車４４側の１枚または複数枚の紙幣が紙幣通過空間４８に向かって移動しても、抑制部５４の各溝状部分５４ａ（具体的には、引っ掛かり部分５４ｂ）に紙幣の側縁が引っ掛かることにより、紙幣通過空間４８の上部に紙幣が移動してしまうことを抑制することができる。
【００４８】
また、昇降ステージ４６に集積されている紙幣が紙幣通過空間４８に向かって移動することを抑制する抑制部として、ケーシング４２ａの内壁４９に形成される溝状部分の代わりに、内壁４９から紙幣通過空間４８に向かって突出する突出部分が用いられてもよい。このような突出部分を有する抑制部の構成について図９を用いて説明する。
【００４９】
図９に示すような変形例に係る紙幣回収カセット４２ｍにおいて、紙幣回収カセット４２の内壁のうち羽根車４４に対向する内壁４９には、当該内壁４９から紙幣通過空間４８に向かって突出する複数（具体的には、２つ）の突出部分５６ａを有する抑制部５６が設けられている。ここで、各突出部分５６ａは、昇降ステージ４６に集積される紙幣の集積方向に沿って並ぶよう配置されている。また、各突出部分５６ａは、昇降ステージ４６に集積されている紙幣が紙幣通過空間４８に向かって移動しようとする際に当該紙幣の側縁が引っ掛かるような段差形状となっている。具体的には、各突出部分５６ａは、昇降ステージ４６に集積される紙幣の集積方向に対して傾斜した傾斜面５６ｂと、横方向に延びる引っ掛かり部分５６ｃとを有している。このような傾斜面５６ｂが各突出部分５６ａに設けられていることにより、投入口４３から送られた紙幣を２枚の羽根４４ｃの間に受け止めてこの羽根４４ｃ間に受け止められた紙幣を昇降ステージ４６に送る際に、２枚の羽根４４ｃの間に受け止められている紙幣の短手側の側縁が抑制部５６の各突出部分５６ａで引っ掛かってしまうことを防止することができる。また、図９に示すような変形例に係る紙幣回収カセット４２ｍによれば、紙幣回収カセット４２ｍが紙幣処理機１から取り出されて当該紙幣回収カセット４２ｍの持ち運びが行われる際に、昇降ステージ４６に集積されている紙幣がずれてしまい羽根車４４側の１枚または複数枚の紙幣が紙幣通過空間４８に向かって移動しても、抑制部５６の各突出部分５６ａ（具体的には、引っ掛かり部分５６ｃ）に紙幣の側縁が引っ掛かることにより、紙幣通過空間４８の上部に紙幣が移動してしまうことを抑制することができる。なお、このような抑制部５６の各突出部分５６ａは、羽根車４４の軸４４ａが延びる方向と略平行に延びる直線状のものとなっていてもよく、あるいは、羽根車４４の軸４４ａが延びる方向における各突出部分５６ａの幅がケーシング４２ａの内部領域の全長に対して十分に小さくなっていてもよい。
【００５０】
また、昇降ステージ４６に集積されている紙幣が紙幣通過空間４８に向かって移動することを抑制する抑制部の更に他の例として、紙幣通過空間４８に進出する進出位置と紙幣通過空間４８から退避する退避位置との間で移動可能となっているガイド部材を有するものが用いられてもよい。このようなガイド部材を有する抑制部の構成について図１０を用いて説明する。
【００５１】
図１０に示すような別の変形例に係る紙幣回収カセット４２ｎにおいて、抑制部５８は、紙幣通過空間４８に進出する進出位置（図１０において実線で表示）と、紙幣通過空間４８から退避する退避位置（図１０において二点鎖線で表示）との間で移動可能となっているガイド部材５８ａを有しており、紙幣回収カセット４２ｎが回収部４０に装着されているときにはガイド部材５８ａは退避位置に位置するようになっている。このことにより、投入口４３から送られた紙幣を２枚の羽根４４ｃの間に受け止めてこの羽根４４ｃ間に受け止められた紙幣を昇降ステージ４６に送る際に、２枚の羽根４４ｃの間に受け止められている紙幣の短手側の側縁がガイド部材５８ａに引っ掛かってしまうことはない。一方、紙幣回収カセット４２ｎが回収部４０から取り外されると、ガイド部材５８ａは図１０において実線で表示するような進出位置に移動するようになる。このようなガイド部材５８ａが進出位置に位置しているときに、昇降ステージ４６に集積されている紙幣が紙幣通過空間４８に向かって移動することが抑制されるようになる。図１０に示すような別の変形例に係る紙幣回収カセット４２ｎによれば、紙幣回収カセット４２ｎが紙幣処理機１から取り出されて当該紙幣回収カセット４２ｎの持ち運びが行われる際に、昇降ステージ４６に集積されている紙幣が紙幣通過空間４８に向かって移動することがガイド部材５８ａによって抑制されるため、昇降ステージ４６に集積されている紙幣がずれてしまい羽根車４４側の１枚または複数枚の紙幣が紙幣通過空間４８の上部に向かって移動することを抑制することができる。
【００５２】
また、上述した各紙幣回収カセット４２、４２ｍ、４２ｎにおいて、抑制部５０、５２、５４、５６、５８は、昇降ステージ４６に集積されている紙幣が紙幣通過空間４８に向かって移動しようとする際に当該紙幣との間で高い摩擦力が生じるようなゴム等の摩擦材料から形成されていてもよい。より詳細には、抑制部５０、５２、５４、５６、５８の摩擦材料と紙幣との間で生じる摩擦力は、紙幣回収カセット４２の内壁を構成する材料と紙幣との間で生じる摩擦力と比較して大きくなっている。このことにより、紙幣回収カセット４２、４２ｍ、４２ｎが紙幣処理機１から取り出されて当該紙幣回収カセット４２、４２ｍ、４２ｎの持ち運びが行われる際に、昇降ステージ４６に集積されている紙幣がずれてしまい羽根車４４側の１枚または複数枚の紙幣が紙幣通過空間４８に向かって移動しても、抑制部５０、５２、５４、５６、５８と当該紙幣との間で生じる摩擦力によって、紙幣通過空間４８の上部に紙幣が移動してしまうことをより一層抑制することができる。
【００５３】
また、昇降ステージ４６に集積されている紙幣が紙幣通過空間４８に向かって移動することを抑制する抑制部の更に他の例として、昇降ステージ４６に積層状態で集積されている紙幣を当該昇降ステージ４６に向かって押圧する押圧部材を有するものが用いられてもよい。このような押圧部材を有する抑制部の構成について図１１を用いて説明する。
【００５４】
図１１に示すような別の変形例に係る紙幣回収カセット４２ｓにおいて、抑制部５９は、昇降ステージ４６に積層状態で集積されている紙幣を当該昇降ステージ４６に向かって押圧する押圧部材５９ａを有している。このような押圧部材５９ａは、紙幣回収カセット４２ｎが回収部４０に装着されているときには、昇降ステージ４６に積層状態で集積されている紙幣から退避するようになっている。一方、紙幣回収カセット４２ｎが回収部４０から取り外されると、押圧部材５９ａは、昇降ステージ４６に積層状態で集積されている紙幣を当該昇降ステージ４６に向かって押圧するようになる。図１１に示すような別の変形例に係る紙幣回収カセット４２ｓによれば、紙幣回収カセット４２ｓが紙幣処理機１から取り出されて当該紙幣回収カセット４２ｓの持ち運びが行われる際に、昇降ステージ４６に積層状態で集積されている紙幣が押圧部材５９ａによって昇降ステージ４６に向かって押圧されるため、昇降ステージ４６に集積されている紙幣がずれてしまい羽根車４４側の１枚または複数枚の紙幣が紙幣通過空間４８に向かって移動することを抑制することができる。
【００５５】
また、このような紙幣回収カセット４２ｓにおいて、押圧部材５９ａは、昇降ステージ４６に集積されている紙幣が紙幣通過空間４８に向かって移動しようとする際に当該紙幣との間で高い摩擦力が生じるようなゴム等の摩擦材料から形成されていてもよい。より詳細には、押圧部材５９ａの摩擦材料と紙幣との間で生じる摩擦力は、紙幣回収カセット４２の内壁を構成する材料と紙幣との間で生じる摩擦力と比較して大きくなっている。このことにより、紙幣回収カセット４２ｓが紙幣処理機１から取り出されて当該紙幣回収カセット４２ｓの持ち運びが行われる際に、昇降ステージ４６に集積されている紙幣がずれてしまい羽根車４４側の１枚または複数枚の紙幣が紙幣通過空間４８に向かって移動することをより一層抑制することができる。
【００５６】
次に、本実施の形態による貨幣処理システムの動作について説明する。具体的には、紙幣処理機１における紙幣の入金処理、出金処理および回収処理に係る動作について以下に説明する。なお、以下に示すような紙幣処理機１の動作は、制御部６０が当該紙幣処理機１の各構成部材を制御することにより行われるようになっている。
【００５７】
まず、紙幣処理機１における紙幣の入金処理に係る動作について説明する。操作者が操作表示部（図示せず）により紙幣の入金処理開始の指令を入力するとともに紙幣投入部１０に紙幣を投入すると、紙幣投入部１０に投入された紙幣は当該紙幣投入部１０に設けられたフィードローラやキッカローラ等の複数のローラによって筐体１ａの内部に１枚ずつ繰り出され、この繰り出された紙幣は搬送部１２により搬送される。また、搬送部１２により搬送される紙幣は識別部１４によりその金種、真偽、正損、新旧、表裏、搬送状態等の識別が行われる。ここで、識別部１４による識別結果に基づいて正常な紙幣であると判断された紙幣は搬送部１２によって上部ユニット２から下部ユニット３に受け渡され、この下部ユニット３の内部に設けられている各収納繰出部２０に金種毎に収納されるようになる。一方、識別部１４により偽券または真偽不確定券と識別された紙幣は搬送部１２により紙幣収納部１９に送られ、この紙幣収納部１９に収納されるようになる。このように、紙幣収納部１９には、識別部１４により偽券であると識別された紙幣および真偽不確定券であると識別された紙幣の両方が収納されるようになる。また、各収納繰出部２０に割り当てられていない金種の紙幣や、対応する金種の収納繰出部２０がフル状態のために収納できないオーバーフロー紙幣は、搬送部１２により回収部４０に送られ、この回収部４０に装着された紙幣回収カセット４２の内部に収納されるようになる。そして、紙幣投入部１０から紙幣が全て筐体１ａの内部に繰り出され、各収納繰出部２０、紙幣収納部１９または回収部４０に送られると、紙幣処理機１における紙幣の入金処理が完了する。
【００５８】
次に、紙幣処理機１における紙幣の出金処理に係る動作について説明する。操作者が操作表示部（図示せず）により出金されるべき紙幣の金種毎の枚数や合計金額等を入力するとともに紙幣の出金処理開始の指令を入力すると、出金されるべき紙幣が各収納繰出部２０から搬送部１２に１枚ずつ繰り出され、当該搬送部１２によって下部ユニット３から上部ユニット２に受け渡される。そして、各紙幣検知センサ１２ａによる検知結果に基づいて搬送異常ではないと判断された紙幣は紙幣投出部１６に送られ、この紙幣投出部１６に集積される。また、各紙幣検知センサ１２ａによる検知結果に基づいて搬送異常であると判断された紙幣（すなわち、出金リジェクト紙幣）は紙幣収納部１８に送られ、この紙幣収納部１８に収納されるようになる。そして、出金されるべき紙幣が全て紙幣投出部１６に送られ、この紙幣投出部１６に集積されると、紙幣投出部１６における紙幣の投出口をシャッタ機構１７が開くことにより操作者は紙幣投出部１６から紙幣を筐体１ａの外部に取り出すことができるようになる。その後、紙幣投出部１６から紙幣が筐体１ａの外部に取り出されると、シャッタ機構１７により紙幣投出部１６における紙幣の投出口が再び閉じられる。このようにして紙幣処理機１における紙幣の出金処理が完了する。
【００５９】
次に、紙幣処理機１における紙幣の回収処理に係る動作について説明する。警送会社の警備員等が操作表示部（図示せず）により紙幣の回収処理開始の指令を入力すると、各収納繰出部２０に収納されている紙幣が全て当該収納繰出部２０から１枚ずつ搬送部１２に繰り出され、当該搬送部１２によって回収部４０に送られる。具体的には、回収部４０には上述した紙幣回収カセット４２が着脱自在に装着されており、各収納繰出部２０から搬送部１２を経て回収部４０に送られた紙幣は紙幣回収カセット４２の内部に収納される。そして、各収納繰出部２０から全ての紙幣が回収部４０に送られ、当該回収部４０に装着されている紙幣回収カセット４２に収納されると、警送会社の警備員等は下部ユニット３の扉を開けて回収部４０から紙幣回収カセット４２を取り出すことにより、紙幣処理機１から紙幣回収カセット４２ごと紙幣の回収を行う。このようにして、紙幣が収納されている紙幣回収カセット４２が紙幣処理機１から取り出されると、紙幣処理機１における紙幣の回収処理が完了する。
【００６０】
以上のような構成からなる本実施の形態の紙幣回収カセット４２、４２ｍ、４２ｎ、４２ｓ（紙葉類収納カセット）によれば、紙幣回収カセット４２、４２ｍ、４２ｎ、４２ｓの内部における羽根車４４の近傍には、羽根車４４により昇降ステージ４６（集積部）に送られる紙幣が通過する紙幣通過空間４８が形成されており、また、昇降ステージ４６に集積されている紙幣が紙幣通過空間４８（より厳密には、紙幣通過空間４８の上部）に向かって移動することを抑制する抑制部５０、５２、５４、５６、５８、５９が設けられている。このように、昇降ステージ４６に集積されている紙幣が羽根車４４の近傍における紙幣通過空間４８に向かって移動することを抑制することにより、昇降ステージ４６上に積層状態で集積されている紙幣の整列状態が大きく乱れてしまうことを防止することができる。
【００６１】
また、本実施の形態の紙幣回収カセット４２、４２ｍ、４２ｎ、４２ｓにおいては、抑制部５０、５２、５４、５６、５８、５９は、紙幣回収カセット４２、４２ｍ、４２ｎ、４２ｓの内壁４９における羽根車４４に対向する箇所に設けられている。また、抑制部５０、５２、５４、５６、５８、５９は、紙幣回収カセット４２、４２ｍ、４２ｎ、４２ｓの内壁４９における、羽根車４４により昇降ステージ４６に送られる紙幣の短手側の側縁に対向する箇所に設けられている。また、抑制部５０、５２、５４、５６、５８、５９は、羽根車４４の各羽根４４ｃが通過する羽根通過領域の下端よりも上方の位置に配置されている。
【００６２】
また、図３乃至図８に示す例では、抑制部５０、５２、５４は、紙幣回収カセット４２の内壁４９に設けられる溝状部分５０ａ、５２ａ、５４ａを有しており、溝状部分５０ａ、５２ａ、５４ａの少なくとも一部が、昇降ステージ４６に集積されている紙幣が紙幣通過空間４８に向かって移動しようとする際に当該紙幣の側縁が引っ掛かるような段差形状となっている。この場合には、紙幣回収カセット４２が紙幣処理機１から取り出されて当該紙幣回収カセット４２の持ち運びが行われる際に、昇降ステージ４６に集積されている紙幣がずれてしまい羽根車４４側の１枚または複数枚の紙幣が紙幣通過空間４８に向かって移動しても、抑制部５０、５２、５４の溝状部分５０ａ、５２ａ、５４ａに紙幣の側縁が引っ掛かることにより、紙幣通過空間４８の上部に紙幣が移動してしまうことを抑制することができる。また、溝状部分５０ａ、５２ａ、５４ａは、昇降ステージ４６に集積される紙幣の集積方向に沿って並ぶよう複数設けられている。なお、抑制部５０、５２、５４における溝状部分５０ａ、５２ａ、５４ａの数は複数に限定されることはなく、抑制部５０、５２、５４が１つの溝状部分５０ａ、５２ａ、５４ａのみを有するようになっていてもよい。また、溝状部分５０ａ、５２ａ、５４ａは、羽根車４４の軸４４ａが延びる方向と略平行に延びる直線状のものである。また、溝状部分５０ａ、５４ａは、昇降ステージ４６に集積される紙幣の集積方向に対して傾斜する傾斜面５０ｄ、５４ｃを含んでいる。
【００６３】
また、図９に示す例では、抑制部５６は、紙幣回収カセット４２ｍの内壁４９に設けられ、当該内壁４９から紙幣通過空間４８に向かって突出する突出部分５６ａを有しており、当該突出部分５６ａの少なくとも一部が、昇降ステージ４６に集積されている紙幣が紙幣通過空間４８に向かって移動しようとする際に当該紙幣の側縁が引っ掛かるような段差形状となっている。この場合には、紙幣回収カセット４２ｍが紙幣処理機１から取り出されて当該紙幣回収カセット４２ｍの持ち運びが行われる際に、昇降ステージ４６に集積されている紙幣がずれてしまい羽根車４４側の１枚または複数枚の紙幣が紙幣通過空間４８に向かって移動しても、抑制部５６の突出部分５６ａに紙幣の側縁が引っ掛かることにより、紙幣通過空間４８の上部に紙幣が移動してしまうことを抑制することができる。また、突出部分５６ａは、昇降ステージ４６に集積される紙幣の集積方向に沿って並ぶよう複数設けられている。なお、抑制部５６における突出部分５６ａの数は複数に限定されることはなく、抑制部５６が１つの突出部分５６ａのみを有するようになっていてもよい。
【００６４】
また、図１０に示す例では、抑制部５８は、紙幣通過空間４８に進出する進出位置と紙幣通過空間４８から退避する退避位置との間で移動可能となっているガイド部材５８ａを有しており、ガイド部材５８ａが進出位置に位置しているときに、昇降ステージ４６に集積されている紙幣が紙幣通過空間４８に向かって移動することを抑制するようになっている。この場合には、紙幣回収カセット４２ｍが紙幣処理機１から取り出されて当該紙幣回収カセット４２ｍの持ち運びが行われる際に、進出位置に位置しているガイド部材５８ａによって、昇降ステージ４６に集積されている紙幣がずれてしまい羽根車４４側の１枚または複数枚の紙幣が紙幣通過空間４８に向かって移動してしまうことを抑制することができる。
【００６５】
また、図１１に示す例では、抑制部５９は、昇降ステージ４６に集積されている紙幣を当該昇降ステージ４６に向かって押圧する押圧部材５９ａを有している。この場合には、紙幣回収カセット４２ｓが紙幣処理機１から取り出されて当該紙幣回収カセット４２ｓの持ち運びが行われる際に、昇降ステージ４６に積層状態で集積されている紙幣が押圧部材５９ａによって昇降ステージ４６に向かって押圧されるため、昇降ステージ４６に集積されている紙幣がずれてしまい羽根車４４側の１枚または複数枚の紙幣が紙幣通過空間４８に向かって移動することを抑制することができる。
【００６６】
また、本実施の形態では、紙幣回収カセット４２、４２ｍ、４２ｎ、４２ｓの持ち運びが行われる際に昇降ステージ４６に積層状態で集積されている紙幣は当該昇降ステージ４６により羽根車４４に向かって押圧されるようになっている。この場合には、昇降ステージ４６に集積されている紙幣がずれてしまい羽根車４４側の１枚または複数枚の紙幣が紙幣通過空間４８に向かって移動することをより一層抑制することができる。
【００６７】
なお、本実施の形態による紙幣回収カセットは、上述したような態様に限定されることはなく、様々な変更を加えることができる。
【００６８】
例えば、昇降ステージ４６に集積されている紙幣が紙幣通過空間４８に向かって移動することを抑制する抑制部は、上述した溝状部分や突出部分等の構成からなるものに限定されることはない。抑制部として、昇降ステージ４６に集積されている紙幣が紙幣通過空間４８に向かって移動することを抑制することができるものであれば、上述した構成以外のものが用いられてもよい。
【００６９】
また、紙幣がその長手方向に沿って外部から内部に投入されるような紙幣回収カセットではなく、紙幣がその短手方向に沿って外部から内部に投入されるような紙幣回収カセットに本発明の原理が適用されてもよい。このような変形例に係る紙幣回収カセットの構成の詳細について図１２を用いて説明する。
【００７０】
図１２に示すように、変形例に係る紙幣回収カセット７２は略直方体形状のケーシング７２ａを有しており、ケーシング７２ａの側面上部には、当該ケーシング７２ａの外部から内部に紙幣を投入するための投入口７３が形成されている。変形例に係る紙幣回収カセット７２では、投入口７３は図１２における左右方向に延びるようになっている。紙幣回収カセット７２が回収部に装着されているときには、紙幣処理機の本体側の搬送部から回収部に送られた紙幣が投入口７３を介して紙幣回収カセット７２のケーシング７２ａの内部に投入されるようになる。なお、図１２に示す例では、紙幣処理機の本体側の搬送部において紙幣はその短手方向に沿って搬送されるようになっており、紙幣回収カセット７２の投入口７３を介してケーシング７２ａの内部に紙幣がその短手方向に沿って送られるようになっている。すなわち、図１２において投入口７３から紙幣回収カセット７２の内部に投入された紙幣はその長手方向が図１２における左右に延びる状態となる。また、ケーシング７２ａの内部には、投入口７３によりケーシング７２ａの外部から内部に投入された紙幣が積層状態で集積される昇降ステージ７６（集積部）が設けられており、この昇降ステージ７６は紙幣の集積方向に沿って（すなわち、図１２における上下方向に）移動するようになっている。より詳細には、昇降ステージ７６に紙幣が集積される度に当該昇降ステージ７６が少しずつ下降するようになっており、このことにより、紙幣が集積される空間が後述する羽根車７４と昇降ステージ７６との間に形成されるようになっている。
【００７１】
また、図１２に示すように、ケーシング７２ａの内部における上部領域には、投入口７３によりケーシング７２ａの外部から内部に投入された紙幣を昇降ステージ７６に１枚ずつ送るための左右一対の羽根車７４が設けられている。より詳細には、左右一対の羽根車７４は、図１２において左右方向に延びる軸を中心として同期して回転するようになっている。また、羽根車７４は、軸を中心として回転する基体と、基体の外周面から当該基体の回転方向とは逆方向の外方に延びる複数の羽根とを有しており、これらの羽根は、基体の外周面において等間隔に設けられている。そして、各羽根車７４は、投入口７３から送られた紙幣を２枚の羽根の間に受け止めてこの羽根間に受け止められた紙幣を昇降ステージ７６に送るようになっている。このような各羽根車７４により、昇降ステージ７６上に紙幣を整列された状態で集積させることができるようになる。
【００７２】
図１２に示すように、ケーシング７２ａの内部空間の側方に位置する内壁のうち各羽根車７４に対向する左右一対の内壁７９と各羽根車７４との間には、各羽根車７４により昇降ステージ７６に送られる紙幣が通過する紙幣通過空間７８が形成されている。また、図１２に示す例では、紙幣回収カセット７２が紙幣処理機１から取り出されて当該紙幣回収カセット７２の持ち運びが行われる際に昇降ステージ７６に集積されている紙幣が紙幣通過空間７８の上部に向かって移動することを抑制する左右一対の抑制部８０が設けられている。
【００７３】
各抑制部８０は、ケーシング７２ａの内壁のうち各羽根車７４に対向する各内壁７９における羽根車７４に対向する箇所に設けられている。より詳細には、各抑制部８０は、昇降ステージ７６に集積される紙幣の集積方向（具体的には、図１２における上下方向）に沿って並ぶよう設けられた複数（具体的には、例えば２つ）の溝状部分８０ａを有しており、各溝状部分８０ａの少なくとも一部が、昇降ステージ７６に集積されている紙幣が紙幣通過空間７８に向かって移動しようとする際に当該紙幣の側縁が引っ掛かるような段差形状となっている。また、各溝状部分８０ａは、図１２の紙面と直交する方向に延びる直線状のものとなっている。具体的には、各溝状部分８０ａは、図１２の紙面と直交する方向におけるケーシング７２ａの内部領域の全長にわたって延びるようになっている。
【００７４】
このような各抑制部８０がケーシング７２ａの内壁７９に設けられていることにより、紙幣回収カセット７２が紙幣処理機から取り出されて当該紙幣回収カセット７２の持ち運びが行われる際に昇降ステージ７６に集積されている紙幣が紙幣通過空間７８に向かって移動することを抑制することができる。このことについて以下に説明する。
【００７５】
紙幣回収カセット７２が紙幣処理機から取り出されて当該紙幣回収カセット７２の持ち運びが行われる際に、昇降ステージ７６が上方に移動することにより、昇降ステージ７６に積層状態で集積されている紙幣が各羽根車７４に向かって押圧されるようになっている。このことにより、紙幣回収カセット７２の持ち運びが行われる際に羽根車７４と昇降ステージ７６との間で積層状態の複数の紙幣が挟圧されるため、昇降ステージ７６に集積されている紙幣がずれてしまい集積状態が崩れてしまうことを抑制することができる。しかしながら、このようにして羽根車７４と昇降ステージ４６との間で積層状態の複数の紙幣を挟圧しても、昇降ステージ７６に集積されている紙幣（とりわけ、羽根車７４側の１枚または複数枚の紙幣）が図１２における左右方向にずれてしまい集積状態が崩れてしまう場合がある。これに対し、図１２に示す例ではケーシング７２ａの各内壁７９にそれぞれ抑制部８０が設けられていることにより、昇降ステージ７６に集積されている紙幣が図１２における左右方向にずれてしまい羽根車７４側の１枚または複数枚の紙幣が紙幣通過空間７８に向かって移動しても、このような紙幣の側縁が抑制部８０の各溝状部分８０ａで引っ掛かることにより、紙幣通過空間７８の上部に紙幣が移動してしまうことを抑制することができる。
【００７６】
また、図１乃至図５等に示す紙幣処理機１において紙幣の回収処理が行われる際に、札長が異なる複数の種類の紙幣（具体的には、金種や紙幣の発行国等が互いに異なる紙幣）が各収納繰出部２０から繰り出されて回収部４０に送られる場合には、所定枚数（例えば、数十枚）のある札長の紙幣が紙幣回収カセット４２に送られる後に、所定枚数（例えば、数十枚）の別の札長の紙幣が紙幣回収カセット４２に送られるという動作が繰り返し行われるようになっていてもよい。この場合には、図１３に示すように、札長が大きい所定枚数の紙幣Ｐ１と、札長が小さい所定枚数の紙幣Ｐ２とが交互に昇降ステージ４６に集積されるようになる。このようにして昇降ステージ４６に紙幣を集積させた場合には、紙幣回収カセット４２が紙幣処理機１から取り外されて当該紙幣回収カセット４２の持ち運びが行われる際に、昇降ステージ４６に集積されている札長が小さい紙幣が横方向にずれて当該紙幣の整列状態が大きく崩れてしまうことを抑制することができるようになる。より詳細に説明すると、昇降ステージ４６に札長が小さい紙幣が多数積み重なるような場合には、当該紙幣の側縁とケーシング４２ａの内壁４９との間に大きな空間が形成されてしまうため、昇降ステージ４６に集積されている札長が小さい紙幣が横方向にずれると当該紙幣はこの空間に入ることによって立った状態になってしまい紙幣の整列状態が大きく乱れてしまう。これに対し、図１３に示すように、札長が大きい所定枚数の紙幣Ｐ１と、札長が小さい所定枚数の紙幣Ｐ２とを交互に昇降ステージ４６に集積させるようにした場合には、昇降ステージ４６に集積される紙幣の側縁とケーシング４２ａの内壁４９との間に大きな空間が形成されなくなるため、昇降ステージ４６に集積されている札長が小さい紙幣が横方向にずれてもこの紙幣が立った状態になってしまうことを抑制することができる。このように、札長が大きい所定枚数の紙幣Ｐ１と、札長が小さい所定枚数の紙幣Ｐ２とを交互に昇降ステージ４６に集積させることにより、紙幣回収カセット４２の持ち運びが行われる際に昇降ステージ４６に積層状態で集積されている紙幣の整列状態が乱れてしまうことを防止することができる。
【００７７】
また、上記の説明では、紙幣の回収を行う際に用いられる紙幣回収カセットにおいて昇降ステージ等の集積部に集積されている紙幣が紙幣通過空間に向かって移動することを抑制する抑制部が設けられるような態様について述べたが、紙幣を積層状態で集積部に集積させることができるとともに持ち運び可能であるようなカセットであれば、紙幣回収カセット以外のカセット（例えば、紙幣収納カセット）にも上述した抑制部と同様の構成の抑制部をカセットの内部に設けてもよい。
【００７８】
また、本発明は、紙幣を積層状態で集積部に集積させることができるとともに持ち運び可能であるようなカセット（例えば、紙幣回収カセット）に限定されることはない。本発明では、紙幣以外の紙葉類（例えば、小切手や商品券等）が積層状態で収納される持ち運び可能な紙葉類収納カセットに、上述した紙幣回収カセット４２、４２ｍ、４２ｎ、４２ｓの原理を適用してもよい。すなわち、持ち運び可能な紙葉類収納カセットにおいて、羽根車により昇降ステージ等の集積部に送られる紙葉類が通過する紙葉類通過空間に、集積部に集積されている紙葉類が紙葉類通過空間に向かって移動することを抑制する抑制部が設けられるようになっていてもよい。この場合には、集積部に集積されている紙葉類が羽根車の近傍における紙葉類通過空間の上部に向かって移動することを抑制部によって抑制することにより、持ち運び時に集積部に積層状態で集積されている紙葉類の整列状態が大きく乱れてしまうことを防止することができる。
【符号の説明】
【００７９】
１        紙幣処理機
１ａ      筐体
２        上部ユニット
３        下部ユニット
１０      紙幣投入部
１２      搬送部
１２ａ    紙幣検知センサ
１４      識別部
１６      紙幣投出部
１７      シャッタ機構
１８、１９  紙幣収納部
２０      収納繰出部
２２、２４、２６  紙幣収納機構
２２ａ、２４ａ、２６ａ  ドラム
４０      回収部
４２、４２ｍ、４２ｎ、４２ｓ  紙幣回収カセット
４２ｐ    従来技術の紙幣回収カセット
４２ａ    ケーシング
４３      投入口
４４      羽根車
４４ａ    軸
４４ｂ    基体
４４ｃ    羽根
４６      昇降ステージ
４８      紙幣通過空間
４９      内壁
５０      抑制部
５０ａ    溝状部分
５０ｂ    直線部分
５０ｃ    引っ掛かり部分
５０ｄ    傾斜面
５２      抑制部
５２ａ    溝状部分
５２ｂ、５２ｃ、５２ｄ  直線部分
５４      抑制部
５４ａ    溝状部分
５４ｂ    引っ掛かり部分
５４ｃ    傾斜面
５６      抑制部
５６ａ    突出部分
５６ｂ    傾斜面
５６ｃ    引っ掛かり部分
５８      抑制部
５８ａ    ガイド部材
５９      抑制部
５９ａ    押圧部材
６０      制御部
７２      紙幣回収カセット
７２ａ    ケーシング
７３      投入口
７４      羽根車
７６      昇降ステージ
７８      紙幣通過空間
７９      内壁
８０      抑制部
８０ａ    溝状部分
１０１    硬貨処理機
１０１ａ  筐体
１１０    硬貨投入部
１７２    硬貨投出部
【図１】
2018081373.tif 000003
【図２】
2018081373.tif 000004
【図３】
2018081373.tif 000005
【図４】
2018081373.tif 000006
【図５】
2018081373.tif 000007
【図６】
2018081373.tif 000008
【図７】
2018081373.tif 000009
【図８】
2018081373.tif 000010
【図９】
2018081373.tif 000011
【図１０】
2018081373.tif 000012
【図１１】
2018081373.tif 000013
【図１２】
2018081373.tif 000014
【図１３】
2018081373.tif 000015